(57)【要約】【課題】各センサ部において形成されるコンデンサの容量を効果的に増加させることができるタッチパネルセンサを提供する。【解決手段】タッチパネルセンサは、第１電極及び第２電極を有する複数のセンサ部と、各センサ部の第１電極に接続された複数の第１配線と、各センサ部の第２電極に接続された複数の第２配線と、を備える。第１電極は、第１方向に延び、且つ第１方向に交差する第２方向に並ぶ複数の第１線状部分を含む。第２電極は、隣り合う２つの第１線状部分の間に位置し、第１方向に延び、且つ第２方向に並ぶ複数の第２線状部分を含む。第１配線と、当該第１配線と隣り合う第１線状部分と、の間に、前記第２線状部分が配置されている。【選択図】図３
2018106407.tif 000002
【特許請求の範囲】
【請求項１】
外部導体が検出され得る領域に対応するアクティブエリアと、アクティブエリアの周辺に位置する非アクティブエリアと、に区画される基材と、
前記アクティブエリアに配置された複数のセンサ部であって、各センサ部が、
第１方向に延び、且つ前記第１方向に交差する第２方向に並ぶ複数の第１線状部分を含む第１電極と、
隣り合う２つの前記第１線状部分の間に位置し、前記第１方向に延び、且つ前記第２方向に並ぶ複数の第２線状部分を含む第２電極と、を有する、複数のセンサ部と、
各センサ部の前記第１電極に接続され、前記第１方向に、当該第１電極の前記第１線状部分と隣り合って、前記非アクティブエリアまで延びる複数の第１配線と、
各センサ部の前記第２電極に接続された複数の第２配線と、を備え、
前記第１配線と、当該第１配線と隣り合う前記第１線状部分と、の間に、前記第２線状部分が配置されている、タッチパネルセンサ。
【請求項２】
前記第１配線と、当該第１配線と隣り合う前記第２線状部分と、の間に、前記第１電極及び前記第２電極のいずれにも接続されていないダミー電極が配置されている、請求項１に記載のタッチパネルセンサ。
【請求項３】
前記第２配線は、前記第１方向に、当該第２配線が接続される前記第２電極の前記第２線状部分と隣り合って、前記非アクティブエリアまで延びており、
前記第２配線と、当該第２配線と隣り合う前記第２線状部分と、の間に、前記第１線状部分が配置されている、請求項１又は２に記載のタッチパネルセンサ。
【請求項４】
前記第２配線と、当該第２配線と隣り合う前記第１線状部分と、の間に、前記第１電極及び前記第２電極のいずれにも接続されていないダミー電極が配置されている、請求項２又は３に記載のタッチパネルセンサ。
【請求項５】
前記第１線状部分と、当該第１線状部分と隣り合う前記第２線状部分と、の間に、前記第１電極及び前記第２電極のいずれにも接続されていないダミー電極が配置されている、請求項１乃至４のいずれか一項に記載のタッチパネルセンサ。
【請求項６】
外部導体が検出され得る領域に対応するアクティブエリアと、アクティブエリアの周辺に位置する非アクティブエリアと、に区画される基材と、
前記アクティブエリアに配置された複数のセンサ部であって、各センサ部が、
第１方向に延び、且つ前記第１方向に交差する第２方向に並ぶ複数の第１線状部分を含む第１電極と、
隣り合う２つの前記第１線状部分の間に位置し、前記第１方向に延び、且つ前記第２方向に並ぶ複数の第２線状部分を含む第２電極と、を有する、複数のセンサ部と、
各センサ部の前記第１電極に接続され、前記第１方向に、当該第１電極の前記第１線状部分と隣り合って、前記非アクティブエリアまで延びる複数の第１配線と、
各センサ部の前記第２電極に接続され、前記第１方向に、当該第２電極の前記第２線状部分と隣り合って、前記非アクティブエリアまで延びる複数の第２配線と、を備え、
前記第１配線と、当該第１配線と隣り合う前記第１線状部分と、の間に、前記第２配線が配置されている、タッチパネルセンサ。
【請求項７】
前記第１配線と、当該第１配線と隣り合う前記第２配線と、の間に、前記第１電極及び前記第２電極のいずれにも接続されていないダミー電極が配置されている、請求項６に記載のタッチパネルセンサ。
【請求項８】
前記第２配線と、当該第２配線と隣り合う前記第２線状部分と、の間に、前記第１線状部分が配置されている、請求項６又は７に記載のタッチパネルセンサ。
【請求項９】
前記第２配線と、当該第２配線と隣り合う前記第１線状部分と、の間に、前記第１電極及び前記第２電極のいずれにも接続されていないダミー電極が配置されている、請求項７又は８に記載のタッチパネルセンサ。
【請求項１０】
前記第１線状部分と、当該第１線状部分と隣り合う前記第２線状部分と、の間に、前記第１電極及び前記第２電極のいずれにも接続されていないダミー電極が配置されている、請求項６乃至９のいずれか一項に記載のタッチパネルセンサ。
【請求項１１】
表示装置と、
前記表示装置の表示面上に配置されたタッチパネルセンサと、を備え、
前記タッチパネルセンサは、
外部導体が検出され得る領域に対応するアクティブエリアと、アクティブエリアの周辺に位置する非アクティブエリアと、に区画される基材と、
前記アクティブエリアに配置された複数のセンサ部であって、各センサ部が、
第１方向に延び、且つ前記第１方向に交差する第２方向に並ぶ複数の第１線状部分を含む第１電極と、
隣り合う２つの前記第１線状部分の間に位置し、前記第１方向に延び、且つ前記第２方向に並ぶ複数の第２線状部分を含む第２電極と、を有する、複数のセンサ部と、
各センサ部の前記第１電極に接続され、前記第１方向に、当該第１電極の前記第１線状部分と隣り合って、前記非アクティブエリアまで延びる複数の第１配線と、
各センサ部の前記第２電極に接続された複数の第２配線と、を有し、
前記第１配線と、当該第１配線と隣り合う前記第１線状部分と、の間に、前記第２線状部分が配置されている、タッチ位置検出機能付き表示装置。
【請求項１２】
表示装置と、
前記表示装置の表示面上に配置されたタッチパネルセンサと、を備え、
前記タッチパネルセンサは、
外部導体が検出され得る領域に対応するアクティブエリアと、アクティブエリアの周辺に位置する非アクティブエリアと、に区画される基材と、
前記アクティブエリアに配置された複数のセンサ部であって、各センサ部が、
第１方向に延び、且つ前記第１方向に交差する第２方向に並ぶ複数の第１線状部分を含む第１電極と、
隣り合う２つの前記第１線状部分の間に位置し、前記第１方向に延び、且つ前記第２方向に並ぶ複数の第２線状部分を含む第２電極と、を有する、複数のセンサ部と、
各センサ部の前記第１電極に接続され、前記第１方向に、当該第１電極の前記第１線状部分と隣り合って、前記非アクティブエリアまで延びる複数の第１配線と、
各センサ部の前記第２電極に接続され、前記第１方向に、当該第２電極の前記第２線状部分と隣り合って、前記非アクティブエリアまで延びる複数の第２配線と、を有し、
前記第１配線と、当該第１配線と隣り合う前記第１線状部分と、の間に、前記第２配線が配置されている、タッチ位置検出機能付き表示装置。
【発明の詳細な説明】
【技術分野】
【０００１】
本発明は、外部導体の接近又は接触を検出するためのタッチパネルセンサ及びタッチ位置検出機能付き表示装置に関する。
【背景技術】
【０００２】
今日、液晶ディスプレイや有機ＥＬディスプレイ等の表示装置が組み込まれた種々の装置等（例えば、券売機、ＡＴＭ装置、携帯電話、ゲーム機）に対する入力手段として、タッチパネル装置が広く用いられている。タッチパネル装置は、基材と、基材上に設けられ、指などの外部導体の接近又は接触を検出するセンサ部と、センサ部に接続された配線と、を備えるタッチパネルセンサを含む。タッチパネルセンサの基材は、外部導体が検出され得る領域に対応するアクティブエリアと、アクティブエリアの周辺に位置する非アクティブエリアと、に区画される。タッチパネルセンサが表示装置の表示面に重ねられる場合、アクティブエリアは、表示装置から放出される映像光が適切に透過できるように構成される。
【０００３】
タッチパネルセンサの構造として、基材の片側にセンサ部及び配線を設ける構造が知られている。例えば特許文献１において、タッチパネルセンサは、駆動電極及び検出電極を有し、基材の片側に二次元配列された複数のセンサ部と、駆動電極に接続されたドライブ線と、検出電極に接続されたセンス線と、を備える。この場合、駆動電極と検出電極との間に形成される電気力線が、外部導体の接近又は接触による影響を受けることに基づいて、外部導体の位置を検出することができる。
【先行技術文献】
【特許文献】
【０００４】
【特許文献１】特開２０１４−２０９３４４号公報
【発明の概要】
【発明が解決しようとする課題】
【０００５】
特許文献１に記載のタッチパネルセンサの各センサ部において、駆動電極と検出電極とは、端部においてのみ互いに対向している。この場合、駆動電極と検出電極とによって形成されるコンデンサの静電容量を増加させるためには、駆動電極及び検出電極の端部の長さを増加させる必要がある。しかしながら、駆動電極及び検出電極の端部の長さを増加させると、各センサ部の寸法が増加し、この結果、タッチパネルセンサの分解能が低下してしまう。
【０００６】
本発明は、このような課題を効果的に解決し得るタッチパネルセンサ及びタッチ位置検出機能付き表示装置を提供することを目的とする。
【課題を解決するための手段】
【０００７】
本発明は、外部導体が検出され得る領域に対応するアクティブエリアと、アクティブエリアの周辺に位置する非アクティブエリアと、に区画される基材と、前記アクティブエリアに配置された複数のセンサ部であって、各センサ部が、第１方向に延び、且つ前記第１方向に交差する第２方向に並ぶ複数の第１線状部分を含む第１電極と、隣り合う２つの前記第１線状部分の間に位置し、前記第１方向に延び、且つ前記第２方向に並ぶ複数の第２線状部分を含む第２電極と、を有する、複数のセンサ部と、各センサ部の前記第１電極に接続され、前記第１方向に、当該第１電極の前記第１線状部分と隣り合って、前記非アクティブエリアまで延びる複数の第１配線と、各センサ部の前記第２電極に接続された複数の第２配線と、を備え、前記第１配線と、当該第１配線と隣り合う前記第１線状部分と、の間に、前記第２線状部分が配置されている、タッチパネルセンサである。
【０００８】
本発明によるタッチパネルセンサの、前記第１配線と、当該第１配線と隣り合う前記第２線状部分と、の間に、前記第１電極及び前記第２電極のいずれにも接続されていないダミー電極が配置されていてもよい。
【０００９】
本発明によるタッチパネルセンサの前記第２配線は、前記第１方向に、当該第２配線が接続される前記第２電極の前記第２線状部分と隣り合って、前記非アクティブエリアまで延びており、前記第２配線と、当該第２配線と隣り合う前記第２線状部分と、の間に、前記第１線状部分が配置されていてもよい。
【００１０】
本発明によるタッチパネルセンサの、前記第２配線と、当該第２配線と隣り合う前記第１線状部分と、の間に、前記第１電極及び前記第２電極のいずれにも接続されていないダミー電極が配置されていてもよい。
【００１１】
本発明によるタッチパネルセンサの、前記第１線状部分と、当該第１線状部分と隣り合う前記第２線状部分と、の間に、前記第１電極及び前記第２電極のいずれにも接続されていないダミー電極が配置されていてもよい。
【００１２】
本発明は、外部導体が検出され得る領域に対応するアクティブエリアと、アクティブエリアの周辺に位置する非アクティブエリアと、に区画される基材と、前記アクティブエリアに配置された複数のセンサ部であって、各センサ部が、第１方向に延び、且つ前記第１方向に交差する第２方向に並ぶ複数の第１線状部分を含む第１電極と、隣り合う２つの前記第１線状部分の間に位置し、前記第１方向に延び、且つ前記第２方向に並ぶ複数の第２線状部分を含む第２電極と、を有する、複数のセンサ部と、各センサ部の前記第１電極に接続され、前記第１方向に、当該第１電極の前記第１線状部分と隣り合って、前記非アクティブエリアまで延びる複数の第１配線と、各センサ部の前記第２電極に接続され、前記第１方向に、当該第２電極の前記第２線状部分と隣り合って、前記非アクティブエリアまで延びる複数の第２配線と、を備え、前記第１配線と、当該第１配線と隣り合う前記第１線状部分と、の間に、前記第２配線が配置されている、タッチパネルセンサである。
【００１３】
本発明によるタッチパネルセンサの、前記第１配線と、当該第１配線と隣り合う前記第２配線と、の間に、前記第１電極及び前記第２電極のいずれにも接続されていないダミー電極が配置されていてもよい。
【００１４】
本発明によるタッチパネルセンサの、前記第２配線と、当該第２配線と隣り合う前記第２線状部分と、の間に、前記第１線状部分が配置されていてもよい。
【００１５】
本発明によるタッチパネルセンサの、前記第２配線と、当該第２配線と隣り合う前記第１線状部分と、の間に、前記第１電極及び前記第２電極のいずれにも接続されていないダミー電極が配置されていてもよい。
【００１６】
本発明によるタッチパネルセンサの、前記第１線状部分と、当該第１線状部分と隣り合う前記第２線状部分と、の間に、前記第１電極及び前記第２電極のいずれにも接続されていないダミー電極が配置されていてもよい。
【００１７】
また、本発明は、表示装置と、前記表示装置の表示面上に配置されたタッチパネルセンサと、を備え、前記タッチパネルセンサは、外部導体が検出され得る領域に対応するアクティブエリアと、アクティブエリアの周辺に位置する非アクティブエリアと、に区画される基材と、前記アクティブエリアに配置された複数のセンサ部であって、各センサ部が、第１方向に延び、且つ前記第１方向に交差する第２方向に並ぶ複数の第１線状部分を含む第１電極と、隣り合う２つの前記第１線状部分の間に位置し、前記第１方向に延び、且つ前記第２方向に並ぶ複数の第２線状部分を含む第２電極と、を有する、複数のセンサ部と、各センサ部の前記第１電極に接続され、前記第１方向に、当該第１電極の前記第１線状部分と隣り合って、前記非アクティブエリアまで延びる複数の第１配線と、各センサ部の前記第２電極に接続された複数の第２配線と、を有し、前記第１配線と、当該第１配線と隣り合う前記第１線状部分と、の間に、前記第２線状部分が配置されている、タッチ位置検出機能付き表示装置である。
【００１８】
また、本発明は、表示装置と、前記表示装置の表示面上に配置されたタッチパネルセンサと、を備え、前記タッチパネルセンサは、外部導体が検出され得る領域に対応するアクティブエリアと、アクティブエリアの周辺に位置する非アクティブエリアと、に区画される基材と、前記アクティブエリアに配置された複数のセンサ部であって、各センサ部が、第１方向に延び、且つ前記第１方向に交差する第２方向に並ぶ複数の第１線状部分を含む第１電極と、隣り合う２つの前記第１線状部分の間に位置し、前記第１方向に延び、且つ前記第２方向に並ぶ複数の第２線状部分を含む第２電極と、を有する、複数のセンサ部と、各センサ部の前記第１電極に接続され、前記第１方向に、当該第１電極の前記第１線状部分と隣り合って、前記非アクティブエリアまで延びる複数の第１配線と、各センサ部の前記第２電極に接続され、前記第１方向に、当該第２電極の前記第２線状部分と隣り合って、前記非アクティブエリアまで延びる複数の第２配線と、を有し、前記第１配線と、当該第１配線と隣り合う前記第１線状部分と、の間に、前記第２配線が配置されている、タッチ位置検出機能付き表示装置である。
【発明の効果】
【００１９】
本発明によれば、各センサ部において形成されるコンデンサの容量を効果的に増加させることができる。
【図面の簡単な説明】
【００２０】
【図１】タッチ位置検出機能付き表示装置を示す展開図である。
【図２】タッチパネルセンサ全体を示す平面図である。
【図３】タッチパネルセンサの一部を拡大して示す平面図である。
【図４】タッチパネルセンサの１つのセンサ部を示す平面図である。
【図５】図４に示すセンサ部のうち符号Vが付された枠で囲まれた部分を拡大して示す平面図である。
【図６】タッチパネルセンサの断面構造の一例を示す図である。
【図７】第２の実施の形態において、タッチパネルセンサの一部を拡大して示す平面図である。
【図８】第２の実施の形態において、タッチパネルセンサの１つのセンサ部を示す平面図である。
【図９】図８に示すセンサ部のうち符号IXが付された枠で囲まれた部分を拡大して示す平面図である。
【図１０】ダミー電極が存在しない場合のセンサ部の一例を示す断面図である。
【図１１】ダミー電極が存在する場合のセンサ部の一例を示す断面図である。
【図１２】第３の実施の形態において、タッチパネルセンサの一部を拡大して示す平面図である。
【図１３】第４の実施の形態において、タッチパネルセンサの一部を拡大して示す平面図である。
【発明を実施するための形態】
【００２１】
〔第１の実施の形態〕
以下、図１乃至図６を参照して、本発明の第１の実施の形態について説明する。なお、本明細書に添付する図面においては、図示と理解のしやすさの便宜上、適宜縮尺および縦横の寸法比等を、実物のそれらから変更し誇張してある。
【００２２】
はじめに図１を参照して、タッチ位置検出機能付き表示装置１０について説明する。図１に示すように、タッチ位置検出機能付き表示装置１０は、液晶ディスプレイや有機ＥＬディスプレイなどの表示装置１５と、表示装置１５の観察者側に配置されたタッチパネルセンサ２０と、を組み合わせることによって構成されている。表示装置１５は、表示面１６ａを有する表示パネル１６と、表示パネル１６に接続された表示制御部（図示せず）と、を有している。表示パネル１６は、映像を表示することができるアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２３】
タッチパネルセンサ２０は、表示装置１５の表示面１６ａに、例えば接着層（図示せず）を介して接着されている。なお図示はしないが、タッチパネルセンサ２０の観察者側には、タッチパネルセンサ２０や表示装置１５を保護するための保護カバーが設けられていてもよい。
【００２４】
タッチパネルセンサ
次に図１及び図２を参照して、タッチパネルセンサ２０について説明する。図２は、表示装置１５側から見た場合のタッチパネルセンサ２０を示す平面図である。タッチパネルセンサ２０は、相互容量方式のタッチパネルセンサとして構成されている。
【００２５】
図１及び図２に示すように、タッチパネルセンサ２０は、表示装置１５側の第１面２２ａ及び観察者側の第２面２２ｂを含む、矩形状の基材２２を備える。基材２２は、外部導体が検出され得る領域に対応する矩形状のアクティブエリアＡａ１と、アクティブエリアＡａ１の周辺に位置する矩形枠状の非アクティブエリアＡａ２と、を含んでいる。また、図２に示すように、タッチパネルセンサ２０は、複数のセンサ部２４、複数の第１配線２６、複数の第２配線２８、複数の第１額縁配線２７及び複数の第２額縁配線２９を備える。センサ部２４、第１配線２６及び第２配線２８は、基材２２のアクティブエリアＡａ１に配置されている。一方、第１額縁配線２７及び第２額縁配線２９は、基材２２の非アクティブエリアＡａ２に配置されている。各第１配線２６は、対応する第１額縁配線２７に接続されており、各第２配線２８は、対応する第２額縁配線２９に接続されている。また、センサ部２４、第１配線２６、第２配線２８、第１額縁配線２７及び第２額縁配線２９はいずれも、基材２２の第１面２２ａ側に設けられているが、これに限られず、基材２２の第２面２２ｂに設けられていてもよい。
【００２６】
（基材）
基材２２を構成する材料としては、例えば、ポリエチレンテレフタレート（ＰＥＴ）、シクロオレフィンポリマー（ＣＯＰ）などの有機材料や、ガラスなどの無機材料など、十分な透光性を有する材料が用いられる。基材２２が例えばＰＥＴなどの有機材料を含む場合、基材２２の厚みは例えば３０μｍ以上且つ２００μｍ以下であり、好ましくは３０μｍ以上且つ１００μｍ以下である。なお、センサ部２４、第１配線２６、第２配線２８、第１額縁配線２７及び第２額縁配線２９を適切に保持することができる限りにおいて、基材２２の具体的な構成が特に限られることはない。例えば、基材２２は、ＰＥＴフィルムの表面に設けられたハードコート層を更に含んでいてもよい。
【００２７】
（センサ部）
図２に示すように、複数のセンサ部２４は、基材２２の第１面２２ａ上に二次元配列されている。例えば、複数のセンサ部２４は、第３方向Ｄ３及び第３方向Ｄ３に交差する第４方向Ｄ４に沿って並んでいる。図２に示す例において、第４方向Ｄ４は第３方向Ｄ３に直交している。以下の説明において、第３方向Ｄ３においてｍ番目に位置し、且つ第４方向Ｄ４においてｎ番目に位置するセンサ部２４のことを、センサ部２４＿ｍｎとも称する。ｍ及びｎは任意の正の整数である。
【００２８】
図３は、図２に示すタッチパネルセンサ２０の複数のセンサ部２４の一部を、例えばセンサ部２４＿１１、センサ部２４＿２１、センサ部２４＿１２及びセンサ部２４＿２２を拡大して示す平面図である。センサ部２４は、互いに対向する第１電極３０及び第２電極４０を有する。第１電極３０及び第２電極４０の一方は、信号電圧が印加される駆動電極として機能し、他方は、検出電極として機能する。例えば、第１電極３０が駆動電極である場合、第２電極４０が検出電極として機能する。この場合、第２電極４０には、第１電極３０と第２電極４０との間に形成されるコンデンサを介した容量結合によって、第１電極３０からの信号電圧が伝達される。
【００２９】
第１電極３０は、複数の第１線状部分３１と、複数の第１線状部分３１に接続された第１接続部分３２と、を含む。複数の第１線状部分３１は、第１方向Ｄ１に延び、且つ第１方向Ｄ１に交差する第２方向Ｄ２に並んでいる。各第１線状部分３１は、第１方向Ｄ１に延びる一対の側部３１１を含んでいる。第１接続部分３２は、第１方向Ｄ１の一方の側（図３の例では上側）において複数の第１線状部分３１に接続されている。また、第１接続部分３２は、第２方向Ｄ２に延びている。第１接続部分３２は、第２方向Ｄ２に延びる一対の側部３２１を含んでいる。図３に示す例において、第２方向Ｄ２は第１方向Ｄ１に直交している。また、第１方向Ｄ１は上述の第３方向Ｄ３に平行であり、第２方向Ｄ２は上述の第４方向Ｄ４に平行である。
【００３０】
第１電極３０と同様に、第２電極４０も、複数の第２線状部分４１と、複数の第２線状部分４１に接続された第２接続部分４２と、を含む。複数の第２線状部分４１は、第１方向Ｄ１に延び、且つ第１方向Ｄ１に交差する第２方向Ｄ２に並んでいる。各第２線状部分４１は、第１方向Ｄ１に延びる一対の側部４１１を含んでいる。また、第２線状部分４１は、隣り合う２つの第１線状部分３１の間に位置している。例えば、第１線状部分３１及び第２線状部分４１は、第２方向Ｄ２に沿って交互に並んでいる。図３に示す例においては、同数の第１線状部分３１及び第２線状部分４１が交互に並んでいる。第２接続部分４２は、第１方向Ｄ１の他方の側（図３の例では下側）において複数の第２線状部分４２に接続されている。また、第２接続部分４２は、第２方向Ｄ２に延びている。第２接続部分４２は、第２方向Ｄ２に延びる一対の側部４２１を含んでいる。
【００３１】
図３に示すように、各第１線状部分３１の側部３１１は、各第２線状部分４１の側部４１１に対向している。この場合、第１線状部分３１の側部３１１と第２線状部分４１の側部４１１との間には、側部３１１及び側部４１１の対向部分の長さに比例した静電容量を有するコンデンサが形成される。従って、第１電極３０と第２電極４０との間には、第１線状部分３１及び第２線状部分４１の数、並びに側部３１１及び側部４１１の対向部分の長さに比例した静電容量を有するコンデンサが形成される。このため、上述の特許文献１のように駆動電極及び検出電極の端部でのみ互いに対向する場合に比べて、静電容量を増加させることができる。このことにより、センサ部２４の検出感度を高めることができる。
【００３２】
図４は、タッチパネルセンサ２０の１つのセンサ部２４、例えばセンサ部２４＿１１を拡大して示す図である。また、図５は、図４に示すセンサ部２４のうち符号Vが付された枠で囲まれた部分を拡大して示す平面図である。図４及び図５に示すように、第１電極３０の第１線状部分３１及び第１接続部分３２並びに第２電極４０の第２線状部分４１及び第２接続部分４２はそれぞれ、網目状に配置された複数の導線６１を含む。図５に示すように、導線６１の一部は、第５方向Ｄ５に沿って直線状に延びており、また、導線６１のその他の一部は、第５方向Ｄ５に交差する第６方向Ｄ６に沿って直線状に延びている。図５に示す例において、第５方向Ｄ５及び第６方向Ｄ６はそれぞれ、第１方向Ｄ１に対して所定の角度、例えば４５°を成している。この場合、各導線６１の間に正方形状の開口部６２が画成される。開口部６２の寸法は、アクティブエリアＡａ１の面積のうち開口部６２によって占められる面積の比率（以下、開口率と称する）が十分に高くなり、これによって、表示装置１５からの映像光が適切な透過率でアクティブエリアＡａ１を透過することができるよう、設定されている。なお、導線６１が延びる方向や開口部６２の形状は特には限定されない。
【００３３】
図４及び図５において、一点鎖線は、第１線状部分３１などのセンサ部２４の構成要素の輪郭を示すために仮想的に描いた線である。センサ部２４の各構成要素の輪郭は、導線６１の端部を連結した線によって画定される。例えば図５に示すように、第１線状部分３１の側部３１１の輪郭は、第１方向Ｄ１に沿って並ぶ複数の導線６１の端部を連結した線によって画定される。
【００３４】
図４及び図５において、符号Ｓ１は、第１方向Ｄ１に沿って延びる隙間（以下、第１隙間とも称する）を表し、符号Ｓ２は、第２方向Ｄ２に沿って延びる隙間（以下、第２隙間とも称する）を表す。図４及び図５に示す例において、第１隙間Ｓ１は、第１線状部分３１の側部３１１と第２線状部分４１の側部４１１との間に形成される。また、第２隙間Ｓ２は、第１線状部分３１の端部３１２と第２接続部分４２の側部４２１との間、又は第２線状部分４１の端部４１２と第１接続部分３２の側部３２１との間に形成される。好ましくは、導線６１は、隙間Ｓ１、Ｓ２を挟んで隣接する導線６１の一方を延長すると他方に重なるよう、配置されている。例えば、隙間Ｓ１、Ｓ２は、直線状に延びる１本の導線６１のうち隙間Ｓ１、Ｓ２となるべき領域に位置する部分を、図５に点線で示す分断部６３として除去することによって、構成されている。これによって、隙間Ｓ１、Ｓ２が目立つことを抑制することができる。
【００３５】
図５において、符号ａは、隙間Ｓ１の幅を表し、符号ｂは、隙間Ｓ２の幅を表す。隙間Ｓ１、Ｓ２が目立つことを抑制するためには、幅ａ及び幅ｂが小さいことが好ましい。幅ａ及び幅ｂは、例えば５μｍ以上且つ７０μｍ以下である。
【００３６】
第１方向Ｄ１に延びる第１線状部分３１及び第２線状部分４１において、好ましくは、導線６１同士が交わる交点６１ａが、第１方向Ｄ１に直交する方向（ここでは第２方向Ｄ２）に沿って少なくとも２つ以上並んでいる。この場合、仮に製造時のエッチング不良などによって１個の交点６１ａが除去されてしまった場合であっても、第１線状部分３１及び第２線状部分４１に少なくとも１個の交点６１ａを残すことができる。従って、残っている少なくとも１個の交点６１ａを利用して、第１方向Ｄ１に沿って第１線状部分３１及び第２線状部分４１に電流を流すことができる。これによって、第１線状部分３１及び第２線状部分４１が断線してしまう可能性を低減することができる。
【００３７】
同様に、第２方向Ｄ２に延びる第１接続部分３２及び第２接続部分４２において、好ましくは、導線６１同士が交わる交点６１ａが、第２方向Ｄ２に直交する方向（ここでは第１方向Ｄ１）に沿って少なくとも２つ以上並んでいる。
【００３８】
図６は、タッチパネルセンサ２０の断面構造の一例を示す図である。図６に示すように、導線６１は、基材２２の第１面２２ａ上に設けられた金属層６４を含んでいる。金属層６４は、例えば、銀、銅、アルミニウムまたはこれらの合金等を含んでいる。金属層６４の幅は、求められる開口率などに応じて設定されるが、例えば１μｍ以上且つ１０μｍ以下である。金属層６４の厚みは、第１電極３０及び第２電極４０に対して求められる電気抵抗値などに応じて適宜設定されるが、例えば０．１μｍ以上且つ５μｍ以下である。図６に示す金属層６４は、例えば、基材２２の第１面２２ａ上に全域にわたって設けられた金属層をエッチングなどによってパターニングすることによって得られる。
【００３９】
なお、図示はしないが、導線６１には、導線６１による光の反射を抑制するための低反射処理が施されていてもよい。例えば、金属層６４の表面には黒化処理が施されていてもよい。また、導線６１は、金属層６４と基材２２の第１面２２ａとの間に位置する低反射層を更に含んでいてもよい。
【００４０】
（第１配線）
次に、第１配線２６について説明する。図２及び図３に示すように、複数の第１配線２６はそれぞれ、対応する第１電極３０の第１接続部分３２に、第２方向Ｄ２の一方の側（図２及び図３の例では左側）において接続されている。第１配線２６は、第１電極側部分２６１及び線状部分２６２を含む。第１電極側部分２６１は、対応する第１電極３０の複数の第１線状部分３１のうち最も一側（図２及び図３の例では左側）に位置する第１線状部分３１ａと隣り合っている。線状部分２６２は、第１電極側部分２６１から非アクティブエリアＡａ２まで延びている。第１電極側部分２６１及び線状部分２６２はいずれも、第１方向Ｄ１に延びている。
【００４１】
図２に示すように、複数の第１配線２６は、第３方向Ｄ３に並ぶ複数のセンサ部２４の対応する第１電極３０にそれぞれ接続されている。この場合、複数の第１配線２６の線状部分２６２は、図２に示すように、第４方向Ｄ４に並べられた状態で、非アクティブエリアＡａ２まで第１方向Ｄ１に延びていてもよい。この場合、図２に示すように、非アクティブエリアＡａ２に位置する第１額縁配線２７までの距離が大きい第１電極側部分２６１ほど、第２方向Ｄ２における幅を大きくしてもよい。これによって、センサ部２４の面積を位置に依らず一定に維持しながら、複数の線状部分２６２を第４方向Ｄ４に並べることができる。
【００４２】
第１配線２６の第１電極側部分２６１と、第１配線２６と隣り合う第１線状部分３１ａと、の間には、複数の第２線状部分４１のうち最も一側（図２及び図３の例では左側）に位置する第２線状部分４１ａが配置されている。したがって、第１配線２６の第１電極側部分２６１は、図３に示すように、第２電極４０の第２線状部分４１ａの側部４１１に対向するよう第１方向Ｄ１に沿って延びる側部２６３を含む。この場合、第１電極３０と第２電極４０との間だけでなく、第２電極４０の第２線状部分４１ａと第１配線２６との間にもコンデンサを形成することができる。
【００４３】
図４に示すように、第１配線２６も、第１電極３０及び第２電極４０と同様に、網目状に配置された複数の導線６１を含む。また、第１配線２６の側部２６３と、第１配線２６と隣り合う第２線状部分４１ａと、の間にも、第１方向Ｄ１に沿って延びる第１隙間Ｓ１が形成されている。第１配線２６を構成する導線６１は、好ましくは、導線６１を延長すると第１電極３０又は第２電極４０の導線６１と重なるよう、配置されている。
【００４４】
（第２配線）
次に、第２配線２８について説明する。図２及び図３に示すように、複数の第２配線２８はそれぞれ、対応する第２電極４０の第２接続部分４２に、第２方向Ｄ２の他方の側（図２及び図３の例では右側）において接続されている。第２配線２８は、対応する第２電極４０の複数の第２線状部分４１のうち、最も他側（図２及び図３の例では右側）に位置する第２線状部分４１ｂと隣り合う第２電極側部分２８１を少なくとも含む。第２電極側部分２８１は、第１方向Ｄ１においてセンサ部４０を介して第１配線２６の第１電極側部分２６１に対向している。第２電極側部分２８１を含む第２配線２８は、第１方向Ｄ１に、非アクティブエリアＡａ２まで延びる。
【００４５】
図２及び図３に示すように、一本の第２配線２８が、第１方向Ｄ１に並ぶ複数のセンサ部２４の第２電極４０に接続されていてもよい。これによって、アクティブエリアＡａ１に配置される第２配線２８の本数を削減することができる。
【００４６】
第２配線２８の第２電極側部分２８１と、第２電極側部分２８１と隣り合う第２線状部分と、の間には、複数の第１線状部分３１のうち最も他側（図２及び図３の例では右側）に位置する第１線状部分３１ｂが配置されている。したがって、第２配線２８の第２電極側部分２８１は、図３に示すように、第１電極３０の第１線状部分３１ｂの側部３１１に対向するよう第１方向Ｄ１に沿って延びる側部２８３を含む。この場合、第１電極３０と第２電極４０との間だけでなく、第１電極３０の第１線状部分３１ｂと第２配線２８との間にもコンデンサを形成することができる。
【００４７】
図４に示すように、第２配線２８も、第１電極３０及び第２電極４０と同様に、網目状に配置された複数の導線６１を含む。また、第２配線２８の側部２８３と、当該第２配線２８と隣り合う第１線状部分３１ｂと、の間にも、第１方向Ｄ１に沿って延びる第１隙間Ｓ１が形成されている。第２配線２８を構成する導線６１は、好ましくは、導線６１を延長すると第１電極３０又は第２電極４０の導線６１と重なるよう、配置されている。
【００４８】
（本実施の形態の効果）
本実施の形態によれば、上述のように、センサ部２４の第１電極３０及び第２電極４０がそれぞれ、互いに対向する複数の第１線状部分３１及び第２線状部分４１を含む。このため、第１電極３０と第２電極４０との間に、第１線状部分３１及び第２線状部分４１の数に比例した静電容量を有するコンデンサを形成することができる。このため、センサ部２４の静電容量を増加させることができ、このことにより、センサ部２４の検出感度を高めることができる。
【００４９】
また、本実施の形態によれば、第１配線２６と、当該第１配線２６と隣り合う第２線状部分４１ａとの間に、第１配線２６及び第２線状部分４１ａの対向部分の長さに比例した静電容量を有するコンデンサを形成することができる。したがって、センサ部２４の静電容量をさらに増加させることができ、このことにより、センサ部２４の検出感度をさらに高めることができる。
【００５０】
また、本実施の形態によれば、第２配線２８と、第２配線２８と隣り合う第１線状部分３１ｂとの間に、第２配線２８及び第１線状部分３１ｂの対向部分の長さに比例した静電容量を有するコンデンサを形成することができる。したがって、センサ部２４の静電容量をさらに増加させることができ、このことにより、センサ部２４の検出感度をさらに高めることができる。
【００５１】
〔第２の実施の形態〕
以下、図７乃至図１１を参照して、第２の実施の形態について説明する。第２の実施の形態は、センサ部２４がダミー電極５０を更に有する点が異なるのみであり、他の構成は第１の実施の形態と略同一である。第２の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【００５２】
図７は、タッチパネルセンサの一部を、例えばセンサ部２４＿１１、センサ部２４＿２１、センサ部２４＿１２及びセンサ部２４＿２２を拡大して示す平面図である。センサ部２４は、第１電極３０及び第２電極４０のいずれにも接続されていないダミー電極５０を更に有する。
【００５３】
図８は、タッチパネルセンサ２０の１つのセンサ部２４、例えばセンサ部２４＿１１を拡大して示す図である。また、図９は、図８に示すセンサ部２４のうち符号IXが付された枠で囲まれた部分を拡大して示す平面図である。ダミー電極５０は、少なくとも第３線状部分５１を含む。第３線状部分５１は、図９に示すように、第１線状部分３１の側部３１１と第２線状部分４１の側部４１１との間に位置する。また、第３線状部分５１は、第１配線２６の側部２６３と、第１配線２６と隣り合う第２線状部分４１ａの側部４１１と、の間に位置する。更に、第３線状部分５１は、第２配線２８の側部２８３と、第２配線２８と隣り合う第１線状部分３１ｂの側部３１１と、の間に位置する。
【００５４】
ダミー電極５０は、第４線状部分５２を更に含んでいてもよい。第４線状部分５２は、図９に示すように、第１接続部分３２の側部３２１と第２線状部分４１の端部４１２との間に位置する。第４線状部分５２は、第２接続部分４２の側部４２１と第１線状部分３１の端部３１２との間に位置していてもよい。
【００５５】
図８及び図９に示すように、ダミー電極５０の第３線状部分５１及び第４線状部分５２はそれぞれ、第１電極３０及び第２電極４０と同様に、網目状に配置された複数の導線６１を含む。第３線状部分５１及び第４線状部分５２を構成する導線６１は、好ましくは、導線６１を延長すると第１電極３０又は第２電極４０の導線６１と重なるよう、配置されている。
【００５６】
図８及び図９に示すように、本変形例においては、第１方向Ｄ１に延びる第１隙間Ｓ１が、第１線状部分３１と第３線状部分５１との間、第２線状部分４１と第３線状部分５１との間、第１配線２６と第３線状部分５１との間、及び第２配線と第３線状部分５１との間に形成される。また、第２方向Ｄ２に延びる第２隙間Ｓ２が、第１接続部分３２と第４線状部分５２との間、第４線状部分５２と第２線状部分４１との間、第１線状部分３１と第４線状部分５２との間、及び第４線状部分５２と第２接続部分４２との間に形成される。
【００５７】
図９において、符号ｃは、第１方向Ｄ１における第１線状部分３１の側部３１１と第２線状部分４１の側部４１１との間の間隔を表す。本実施の形態によれば、第３線状部分５１を設けることにより、第１線状部分３１と第２線状部分４１との間の間隔ｃを拡大することができる。
【００５８】
同様に、符号ｄは、第１方向Ｄ１における第１配線２６の側部２６３と当該第１配線２６と隣り合う第２線状部分４１ａの側部４１１との間の間隔を表す。符号ｅは、第１方向Ｄ１における第２配線２８の側部２８３と当該第２配線２８と隣り合う第１線状部分３１ｂの側部３１１との間の間隔を表す。本実施の形態によれば、第３線状部分５１を設けることにより、第１配線２６と第２線状部分４１ａとの間の間隔ｄ、及び、第２配線２８と第１線状部分３１ｂとの間の間隔ｅ、も拡大することができる。
【００５９】
図１０及び図１１は、第１線状部分３１と第２線状部分４１との間の間隔ｃ、第１配線２６と第２線状部分４１ａとの間の間隔ｄ、及び、第２配線２８と第１線状部分３１ｂとの間の間隔ｅを拡大することによって実現される効果を説明するための図である。図１０は、第３線状部分５１が存在しない場合のセンサ部２４の一例を示す断面図であり、図１１は、第３線状部分５１が存在する場合のセンサ部２４の一例を示す断面図である。
【００６０】
図１０及び図１１において、符号７１は、第１線状部分３１と第２線状部分４１、及び、第１配線２６と当該第１配線２６と隣り合う第２線状部分４１ａとの間に形成される電気力線を表す。電気力線７１は、第１線状部分３１と第２線状部分４１との間の間隔ｃ、第１配線２６と第２線状部分４１ａとの間の間隔ｄ、及び、第２配線２８と第１線状部分３１ｂとの間の間隔ｅが大きいほど、広域にわたって広がる。電気力線７１が広がる範囲が大きいほど、センサ部２４や、センサ部２４と第１配線２６または第２配線２８とが外部導体７２を検出可能な範囲も広くなる。例えば、センサ部２４が外部導体７２を検出し始める際の、基材２２の第２面２２ｂと外部導体７２との間の距離Ｅが大きくなる。すなわち、センサ部２４の感度が向上する。
【００６１】
図１０に示す例において、間隔ｃ，ｄ，ｅは、第１隙間Ｓ１の幅ａに等しい。第１隙間Ｓ１の幅ａを大きくすると、第１隙間Ｓ１がユーザーに視認され易くなる。このため、図１０に示す例においては、間隔ｃ，ｄ，ｅが制限され、この結果、センサ部２４の感度も制限される。
【００６２】
一方、図１１に示す例において、間隔ｃ，ｄ，ｅは、第１隙間Ｓ１の幅ａを二倍した値に第３線状部分５１の幅を加えたものとなる。図１１に示す例によれば、第１隙間Ｓ１の幅ａを維持しながら間隔ｃ，ｄ，ｅを大きくして、センサ部２４の感度を向上させることができる。例えば、センサ部２４が外部導体７２を検出し始める際の、基材２２の第２面２２ｂと外部導体７２との間の距離Ｅを、図１０に示す例の場合に比べて大きくすることができる。このことにより、例えば基材２２の厚みが大きい場合や、基材２２の第２面２２ｂ側に更に保護カバーなどが設けられる場合であっても、外部導体７２を適切に検出することができる。
【００６３】
〔第３の実施の形態〕
以下、図１２を参照して、第２の実施の形態について説明する。第２の実施の形態は、第２配線が第１配線と同じ側で第２電極に接続されている点が異なるのみであり、他の構成は第１の実施の形態と略同一である。第２の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【００６４】
図１２は、タッチパネルセンサの一部を、例えばセンサ部２４＿１１、センサ部２４＿２１、センサ部２４＿１２及びセンサ部２４＿２２を拡大して示す平面図である。第２配線２８は、第１配線２６と同じ側（図１２の例では左側）で第２電極４０の第２接続部分４２に接続されており、第１配線２６と、第１配線２６と隣り合う第１線状部分３１ａと、の間に配置されている。
【００６５】
本実施の形態によっても、上述のように、センサ部２４の第１電極３０及び第２電極４０がそれぞれ、互いに対向する複数の第１線状部分３１及び第２線状部分４１を含む。このため、第１電極３０と第２電極４０との間に、第１線状部分３１及び第２線状部分４１の数に比例した静電容量を有するコンデンサを形成することができる。このため、センサ部２４の静電容量を増加させることができ、このことにより、センサ部２４の検出感度を高めることができる。
【００６６】
また、本実施の形態によれば、第２配線２８の側部２８３は、図１２に示すように、第２配線２８と隣り合う第１電極３０の第１線状部分３１ａの側部３１１に対向する。このため、第２配線の第２電極側部分２８１と、第１線状部分３１ａとの間に、第２配線２８及び第１線状部分３１ａの対向部分の長さに比例した静電容量を有するコンデンサを形成することができる。したがって、センサ部２４の静電容量をさらに増加させることができ、このことにより、センサ部２４の検出感度をさらに高めることができる。
【００６７】
また、本実施の形態によれば、第２電極側部分２８１の側部２８３は、図１２に示すように、第１配線２６の側部２６３に対向する。この場合、第１配線２６と第２配線２８との間に、コンデンサを形成することができる。したがって、センサ部２４の静電容量をさらに増加させることができ、このことにより、センサ部２４の検出感度をさらに高めることができる。
【００６８】
〔第４の実施の形態〕
以下、図１３を参照して、第４の実施の形態について説明する。第４の実施の形態は、第２配線が第１配線と同じ側で第２電極に接続されており、第１配線と第２配線との間にもダミー電極が配置されている点が異なるのみであり、他の構成は第２の実施の形態と略同一である。第４の実施の形態において、第２の実施の形態と同一部分には同一符号を付して詳細な説明は省略する。また、第２の実施の形態において得られる作用効果が本実施の形態においても得られることが明らかである場合、その説明を省略することもある。
【００６９】
図１３は、タッチパネルセンサの一部を、例えばセンサ部２４＿１１、センサ部２４＿２１、センサ部２４＿１２及びセンサ部２４＿２２を拡大して示す平面図である。第２配線２８は、図１２に示す例と同様に、第１配線２６と同じ側で第２電極４０に接続されており、第１配線２６と、第１配線２６と隣り合う第１線状部分３１ａと、の間に配置されている。センサ部２４は、第１電極３０及び第２電極４０のいずれにも接続されていないダミー電極５０を更に有する。
【００７０】
ダミー電極５０は、少なくとも第３線状部分５１を含む。第３線状部分５１は、図１３に示すように、第１線状部分３１の側部３１１と第２線状部分４１の側部４１１との間に位置する。また、第３線状部分５１は、第１配線２６の側部２６３と、第１配線２６と隣り合う第２配線２８の側部２８３と、の間に位置する。更に、第３線状部分５１は、第２配線２８の側部２８３と、第２配線２８と隣り合う第１線状部分３１ａの側部３１１と、の間に位置する。
【００７１】
図１３において、符号ｆは、第２方向Ｄ２における、第２配線２８と、第２配線２８と隣り合う第１電極３０の第１線状部分３１ａと、の間の間隔を表す。また、符号ｇは、第２方向Ｄ２における、第１配線２６と第２配線２８との間の間隔を表す。本実施の形態によれば、第３線状部分５１を設けることにより、第１線状部分３１と第２線状部分４１との間の間隔ｃと共に、第２配線２８と第１線状部分３１ａとの間の間隔ｆ、及び、第１配線２６と第２配線２８との間の間隔ｇを拡大することができる。
【００７２】
本実施の形態においても、図１１に示す場合と同様、センサ部２４の感度を向上させることができる。例えば、センサ部２４が外部導体７２を検出し始める際の、基材２２の第２面２２ｂと外部導体７２との間の距離Ｅを、図１０に示す例の場合に比べて大きくすることができる。このことにより、例えば基材２２の厚みが大きい場合や、基材２２の第２面２２ｂ側に更に保護カバーなどが設けられる場合であっても、外部導体７２を適切に検出することができる。
【００７３】
また、第２配線２８の側部２８３は、図１３に示すように、第２配線２８と隣り合う第１電極３０の第１線状部分３１ａの側部３１１に対向する。これにより、第２配線２８と第１電極３０の第１線状部分３１ａとの間にもコンデンサが形成される。このような第２配線２８と第１線状部分３１ａとの間にダミー電極５０を置くことによって、第１隙間Ｓ１の幅ａを維持しながら間隔ｆを大きくすることができる。このことにより、センサ部２４の感度をさらに向上させることができる。
【００７４】
また、第２電極側部分２８１の側部２８３は、図１３に示すように、第１配線２６の側部２６３に対向する。これにより、第１配線２６と第２配線２８との間にもコンデンサが形成される。このような第１配線２６と第２配線２８との間にダミー電極５０を置くことによって、第１隙間Ｓ１の幅ａを維持しながら間隔ｇを大きくすることができる。このことにより、センサ部２４の感度をさらに向上させることができる。
【符号の説明】
【００７５】
１０  タッチ位置検出機能付き表示装置
１５  表示装置
２０  タッチパネルセンサ
２２  基材
２４  センサ部
２５  隙間
２６  第１配線
２６１  第１電極側部分
２６２  線状部分
２６３  側部
２８  第２配線
２８１  第２電極側部分
２８３  側部
３０  第１電極
３１  第１線状部分
３１１  側部
３１２  端部
３２  第１接続部分
３２１  側部
４０  第２電極
４１  第２線状部分
４１１  側部
４１２  端部
４２  第２接続部分
４２１  側部
５０  ダミー電極
５１  第３線状部分
５２  第４線状部分
６１  導線
６２  開口部
６３  分断部
７１  電気力線
７２  外部導体
【図１】
2018106407.tif 000003
【図２】
2018106407.tif 000004
【図３】
2018106407.tif 000005
【図４】
2018106407.tif 000006
【図５】
2018106407.tif 000007
【図６】
2018106407.tif 000008
【図７】
2018106407.tif 000009
【図８】
2018106407.tif 000010
【図９】
2018106407.tif 000011
【図１０】
2018106407.tif 000012
【図１１】
2018106407.tif 000013
【図１２】
2018106407.tif 000014
【図１３】
2018106407.tif 000015